(57)【要約】【課題】信号処理装置、信号処理方法、及びプログラムを提供する。【解決手段】第一のマイクロフォンに基づく第一の音声信号を、第二のマイクロフォンに基づく第二の音声信号に基づいて抑圧する第一の抑圧処理を行う第一の演算処理部と、前記第二の音声信号を前記第一の音声信号に基づいて抑圧する第二の抑圧処理を行う第二の演算処理部と、を備える信号処理装置。【選択図】図２
2017056781.tif 000002
【特許請求の範囲】
【請求項１】
第一のマイクロフォンに基づく第一の音声信号を、第二のマイクロフォンに基づく第二の音声信号に基づいて抑圧する第一の抑圧処理を行う第一の演算処理部と、
前記第二の音声信号を前記第一の音声信号に基づいて抑圧する第二の抑圧処理を行う第二の演算処理部と、
を備える信号処理装置。
【請求項２】
前記第一の演算処理部の出力信号は、ステレオ音声信号のうち一方のチャネルの音声信号であり、前記第二の演算処理部の出力信号は、前記ステレオ音声信号のうち他方のチャネルの音声信号である請求項１に記載の信号処理装置。
【請求項３】
前記第一の演算処理部は、前記第二の音声信号を遅延させる第一の遅延処理を行い、前記第一の遅延処理に基づく信号を前記第一の音声信号から減算することで前記第一の抑圧処理を行い、
前記第二の演算処理部は、前記第一の音声信号を遅延させる第二の遅延処理を行い、前記第二の遅延処理に基づく信号を前記第二の音声信号から減算することで前記第二の抑圧処理を行う、請求項１に記載の信号処理装置。
【請求項４】
前記第一の遅延処理、及び前記第二の遅延処理は、前記第一のマイクロフォンと前記第二のマイクロフォンとの間の距離に基づいて行われる、請求項３に記載の信号処理装置。
【請求項５】
前記第一の遅延処理、及び前記第二の遅延処理は、前記距離を音が伝わるのにかかる時間に相当するサンプル数だけ遅延させる処理である、請求項４に記載の信号処理装置。
【請求項６】
前記第一の遅延処理、及び前記第二の遅延処理は、前記距離に基づいて特定されるフィルタ係数に基づいて行われる、請求項４に記載の信号処理装置。
【請求項７】
前記フィルタ係数の情報を取得するフィルタ係数取得部をさらに備える、請求項６に記載の信号処理装置。
【請求項８】
前記距離に係る距離情報を取得する距離情報取得部と、
距離情報に応じた複数のフィルタ係数を記憶する記憶部と、
前記距離情報取得部が取得した前記距離情報に応じた前記フィルタ係数を前記記憶部に記憶された前記複数のフィルタ係数の中から選択するフィルタ係数選択部と、
をさらに備える請求項６に記載の信号処理装置。
【請求項９】
前記距離に係る距離情報を取得する距離情報取得部と、
前記距離情報に基づいて前記フィルタ係数を特定するフィルタ係数特定部と、
をさらに備える請求項６に記載の信号処理装置。
【請求項１０】
少なくとも前記第一の音声信号と前記第二の音声信号を含む情報を受信する受信部をさらに備え、
第一の抑圧処理、及び第二の抑圧処理は、前記受信部がさらに前記距離に係る距離情報を受信した場合に行われる、請求項４に記載の信号処理装置。
【請求項１１】
少なくとも前記第一の音声信号と前記第二の音声信号を受信する受信部をさらに備え、
第一の抑圧処理、及び第二の抑圧処理は、前記受信部が前記フィルタ係数の情報を受信した場合に行われる、請求項６に記載の信号処理装置。
【請求項１２】
前記距離は、前記第一のマイクロフォンと前記第二のマイクロフォンを接続し、前記距離を固定する治具により特定される、請求項４に記載の信号処理装置。
【請求項１３】
前記第一のマイクロフォン、及び前記第二のマイクロフォンを有するステレオマイクロフォン装置と接続されるコネクタ部をさらに備え、
前記コネクタ部は、前記距離に係る距離情報を前記ステレオマイクロフォン装置から取得する、請求項４に記載の信号処理装置。
【請求項１４】
前記第一のマイクロフォン、及び前記第二のマイクロフォンを有するステレオマイクロフォン装置と接続されるコネクタ部をさらに備え、
前記コネクタ部は、前記フィルタ係数の情報を前記ステレオマイクロフォン装置から取得する、請求項６に記載の信号処理装置。
【請求項１５】
前記第一の演算処理部は、前記第一の遅延処理により得られた信号に所定の値を乗じて得られた信号を前記第一の音声信号から減算することで前記第一の抑圧処理を行い、
前記第二の演算処理部は、前記第二の遅延処理により得られた信号に所定の値を乗じて得られた信号を前記第二の音声信号から減算することで前記第二の抑圧処理を行う、請求項３に記載の信号処理装置。
【請求項１６】
前記第一の演算処理部は、前記第一の抑圧処理により得られた信号の周波数特性を補正し、
前記第二の演算処理部は、前記第二の抑圧処理により得られた信号の周波数特性を補正する、請求項１に記載の信号処理装置。
【請求項１７】
前記第一のマイクロフォンと前記第二のマイクロフォンのゲイン差を補正するためのゲイン補正部をさらに備える、請求項１に記載の信号処理装置。
【請求項１８】
前記第一のマイクロフォン、及び前記第二のマイクロフォンは、無指向性のマイクロフォンである、請求項１に記載の信号処理装置。
【請求項１９】
第一のマイクロフォンに基づく第一の音声信号を、第二のマイクロフォンに基づく第二の音声信号に基づいて抑圧する第一の抑圧処理を行うことと、
前記第二の音声信号を前記第一の音声信号に基づいて抑圧する第二の抑圧処理を行うことと、
を含み、信号処理装置により実行される信号処理方法。
【請求項２０】
コンピュータに、
第一のマイクロフォンに基づく第一の音声信号を、第二のマイクロフォンに基づく第二の音声信号に基づいて抑圧する第一の抑圧処理を行う第一の演算処理機能と、
前記第二の音声信号を前記第一の音声信号に基づいて抑圧する第二の抑圧処理を行う第二の演算処理機能と、
を実現させるための、プログラム。
【発明の詳細な説明】
【技術分野】
【０００１】
本開示は、信号処理装置、信号処理方法、及びプログラムに関する。
【背景技術】
【０００２】
左右に二つのマイクロフォン（以下、単にマイクと呼ぶ場合もある）を配したステレオマイクを用いたステレオ録音が行われている。ステレオマイクで録音することで、例えば、定位感を得ることが出来るという効果がある。ただし、例えばＩＣレコーダのような小型の装置ではマイク間距離が小さいため、十分な定位感が得られない場合があった。【０００３】
そこで、指向性を有するマイクを利用することで、定位感を高めることが行われている。例えば、下記特許文献１では、二つの指向性マイクの角度を調整することで、定位感を調整することが可能な技術が開示されている。
【先行技術文献】
【特許文献】
【０００４】
【特許文献１】特開２００８−３１１８０２号公報
【発明の概要】
【発明が解決しようとする課題】
【０００５】
しかし、指向性マイクを利用するとコストが高くなる場合があるため、指向性マイクよりも比較的安価な無指向性マイクを用いた場合でも、より定位感のある出力を得ることが望ましい。【０００６】
そこで、本開示では、入力信号が無指向性マイクに基づいて得られた音声信号であっても、より高い定位感のある出力信号を得ることが可能な、新規かつ改良された信号処理装置、信号処理方法、及びプログラムを提案する。
【課題を解決するための手段】
【０００７】
本開示によれば、第一のマイクロフォンに基づく第一の音声信号を、第二のマイクロフォンに基づく第二の音声信号に基づいて抑圧する第一の抑圧処理を行う第一の演算処理部と、前記第二の音声信号を前記第一の音声信号に基づいて抑圧する第二の抑圧処理を行う第二の演算処理部と、を備える信号処理装置が提供される。【０００８】
また、本開示によれば、第一のマイクロフォンに基づく第一の音声信号を、第二のマイクロフォンに基づく第二の音声信号に基づいて抑圧する第一の抑圧処理を行うことと、前記第二の音声信号を前記第一の音声信号に基づいて抑圧する第二の抑圧処理を行うことと、を含み、信号処理装置により実行される信号処理方法が提供される。【０００９】
また、本開示によれば、コンピュータに、第一のマイクロフォンに基づく第一の音声信号を、第二のマイクロフォンに基づく第二の音声信号に基づいて抑圧する第一の抑圧処理を行う第一の演算処理機能と、前記第二の音声信号を前記第一の音声信号に基づいて抑圧する第二の抑圧処理を行う第二の演算処理機能と、を実現させるための、プログラムが提供される。
【発明の効果】
【００１０】
以上説明したように本開示によれば、入力信号が無指向性マイクに基づいて得られた音声信号であっても、より高い定位感のある出力信号を得ることが可能である。【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の第一の実施形態に係る録音再生装置の外観を示す説明図である。
【図２】同実施形態に係る録音再生装置１の構成例を示すブロック図である。
【図３】同実施形態に係る遅延フィルタ１４２の構成例を示すブロック図である。
【図４】同実施形態に係る録音再生装置１による動作例を説明するためのフローチャート図である。
【図５】本開示の第二の実施形態に係る録音再生システムの構成例を示す説明図である。
【図６】同実施形態に係る記憶部２３３に記憶されるデータファイルのファイルフォーマットの例を示す説明図である。
【図７】同実施形態に係るＵＩ部２４５の実現例を示す説明図である。
【図８】本開示の第三の実施形態に係る放送システムの概要を示す説明図である。
【図９】同実施形態に係る送信システム３２の構成例を示す説明図である。
【図１０】同実施形態に係る取得部３２９の構成例を示す説明図である。
【図１１】同実施形態に係る対応受信装置３４の構成例を示す説明図である。
【図１２】非対応受信装置３６の構成例を示す説明図である。
【図１３】本開示の第四の実施形態の概要を説明するための説明図である。
【図１４】同実施形態に係るスマートフォン４４の構成例を示す説明図である。
【図１５】本開示に係る変形例を説明するための説明図である
【図１６】本開示に係る変形例を説明するための説明図である
【図１７】本開示に係る信号処理装置のハードウェア構成の一例を示すブロック図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、本明細書及び図面において、実質的に同一の機能構成を有する要素を、同一の符号の後に異なるアルファベットを付して区別する場合もある。ただし、実質的に同一の機能構成を有する複数の要素の各々を特に区別する必要がない場合、同一符号のみを付する。
【００１５】
なお、説明は以下の順序で行うものとする。
＜＜１．第一の実施形態＞＞
＜１−１．第一の実施形態の概要＞
＜１−２．第一の実施形態の構成＞
＜１−３．第一の実施形態の動作＞
＜１−４．第一の実施形態の効果＞
＜＜２．第二の実施形態＞＞
＜２−１．第二の実施形態の概要＞
＜２−２．第二の実施形態の構成＞
＜２−３．第二の実施形態の効果＞
＜２−４．第二の実施形態の補足＞
＜＜３．第三の実施形態＞＞
＜３−１．第三の実施形態の概要＞
＜３−２．第三の実施形態の構成＞
＜３−３．第三の実施形態の効果＞
＜＜４．第四の実施形態＞＞
＜４−１．第四の実施形態の概要＞
＜４−２．第四の実施形態の構成＞
＜４−３．第四の実施形態の効果＞
＜＜５．変形例＞＞
＜＜６．ハードウェア構成例＞＞
＜＜７．むすび＞＞
【００１６】
＜＜１．第一の実施形態＞＞
＜１−１．第一の実施形態の概要＞
まず、図１を参照しながら本開示の第一の実施形態に係る信号処理装置の概要と、本実施形態に係る録音再生装置の創作に至った背景を説明する。図１は、本開示の第一の実施形態に係る録音再生装置の外観を示す説明図である。
【００１７】
図１に示す第一の実施形態に係る録音再生装置１は、例えばＩＣレコーダのような、録音と再生を同一の装置で行う信号処理装置である。図１に示すように録音再生装置１は、左マイク１１０Ｌと右マイク１１０Ｒの二つのマイクを備え、ステレオ録音を行うことが可能である。
【００１８】
ＩＣレコーダのような小型の装置では、２つのマイク間の距離（例えば、図１に示す左マイク１１０Ｌと右マイク１１０Ｒとの距離ｄ）を大きくすることは困難である。例えばマイク間距離が数センチしか離れていない場合には、左右の音圧差を十分に得られないために、再生時に十分な定位感が得られない恐れがあった。
【００１９】
左右のマイクがそれぞれ左方向、右方向に指向性を有する場合には定位感を高めることが可能である。そこで、マイク間距離が小さい場合でも十分な定位感を得るために、例えば２つの指向性マイクを備える構成も考えられるが、指向性マイクは無指向性マイクと比較して高価な場合も多い。また、指向性マイクを用いた構成の場合、定位感を調整するためには、指向性マイクの角度を物理的に調整するための角度調整機構が必要となり、構造が複雑化する恐れがある。
【００２０】
そこで、上記事情を一着眼点にして本実施形態を創作するに至った。本実施形態によれば、左右の音声信号をそれぞれ他方の音声信号に基づいて抑圧することで、音声信号の指向性を強調し、入力信号が無指向性マイクにより得られた音声信号であっても、より高い定位感のある出力信号を得ることが可能である。また、本実施形態によれば、マイクの物理的な角度調整機構を要することなく、パラメータの変更を行うことで、定位感の調整を行うことが可能である。以下、このような効果を奏する本実施形態に係る録音再生装置の構成、及び動作について順次詳細に説明する。
【００２１】
＜１−２．第一の実施形態の構成＞
以上、本実施形態による録音再生装置の創作に至った背景を説明した。続いて、図２、３を参照して、本実施形態による録音再生装置の構成について説明する。図２は、第一の実施形態に係る録音再生装置１の構成例を示すブロック図である。図２に示すように、本実施形態に係る録音再生装置は、左マイク１１０Ｌ，右マイク１１０Ｒ、Ａ／Ｄ変換部１２０Ｌ，１２０Ｒ、ゲイン補正部１３０Ｌ，１３０Ｒ、第一の演算処理部１４０Ｌ、第二の演算処理部１４０Ｒ、エンコード部１５０、記憶部１６０、デコード部１７０、Ｄ／Ａ変換部１８０Ｌ，１８０Ｒ、及びスピーカ１９０Ｌ，１９０Ｒを備える信号処理装置である。
【００２２】
左マイク１１０Ｌ（第一のマイクロフォン），及び右マイク１１０Ｒ（第二のマイクロフォン）は、例えば無指向性マイクである。左マイク１１０Ｌ，及び右マイク１１０Ｒは、周囲の音声をアナログ音声信号（電気信号）に変換し、当該アナログ音声信号をそれぞれＡ／Ｄ変換部１２０Ｌ，及びＡ／Ｄ変換部１２０Ｒに供給する。
【００２３】
Ａ／Ｄ変換部１２０Ｌ，及びＡ／Ｄ変換部１２０Ｒは、それぞれ左マイク１１０Ｌ，及び右マイク１１０Ｒから供給されたアナログ音声信号をデジタル音声信号（以下、単に音声信号と呼ぶ場合がある）に変換する。
【００２４】
ゲイン補正部１３０Ｌ，及びゲイン補正部１３０Ｒは、それぞれ左マイク１１０Ｌ，及び右マイク１１０Ｒのゲイン差（感度差）を補正するゲイン補正処理を行う。本実施形態に係るゲイン補正部１３０Ｌ，及びゲイン補正部１３０Ｒは、それぞれＡ／Ｄ変換部１２０Ｌ，及びＡ／Ｄ変換部１２０Ｒから出力された音声信号の差を補正する。
【００２５】
例えば、ゲイン補正部１３０Ｌ，及びゲイン補正部１３０Ｒは、左マイク１１０Ｌ，及び右マイク１１０Ｒのゲイン差について予め測定し、当該ゲイン差を抑制するような所定の値を音声信号に掛けることでゲイン補正処理を行ってもよい。係る構成により、左マイク１１０Ｌ、及び右マイク１１０Ｒのゲイン差の影響が抑制され、後述の処理により、より高精度に指向性を強調することが可能となる。
【００２６】
なお、上記ではＡ／Ｄ変換後のデジタル音声信号に対してゲイン補正処理が行われる例を説明したが、ゲイン補正処理は、Ａ／Ｄ変換が行われる前のアナログ音声信号に対して行われてもよい。
【００２７】
また、以下ではゲイン補正部１３０Ｌから出力される音声信号を左入力信号、または第一の音声信号と呼び、ゲイン補正部１３０Ｒから出力される音声信号を右入力信号、または第二の音声信号と呼ぶ場合がある。
【００２８】
第一の演算処理部１４０Ｌ、及び第二の演算処理部１４０Ｒは、左入力信号と右入力信号に基づいて演算処理を行う。例えば、第一の演算処理部１４０Ｌは、左入力信号を右入力信号に基づいて抑圧する第一の抑圧処理を行う。また、第二の演算処理部１４０Ｒは、右入力信号を左入力信号に基づいて抑圧する第二の抑圧処理を行う。
【００２９】
第一の演算処理部１４０Ｌ、及び第二の演算処理部１４０Ｒの機能は、例えばそれぞれ異なるプロセッサにより実現されてもよい。また、一のプロセッサが第一の演算処理部１４０Ｌ、及び第二の演算処理部１４０Ｒの両方の機能を有してもよい。なお、以下では、第一の演算処理部１４０Ｌ、及び第二の演算処理部１４０Ｒの機能がＤＳＰ（Digital Signal Processor）により実現される例を説明する。
【００３０】
第一の演算処理部１４０Ｌは、図２に示すように、遅延フィルタ１４２Ｌ、指向性補正部１４４Ｌ、抑圧部１４６Ｌ、及び等価フィルタ１４８Ｌを備える。また、同様に、第二の演算処理部１４０Ｒは、図２に示すように、遅延フィルタ１４２Ｒ、指向性補正部１４４Ｒ、抑圧部１４６Ｒ、及び等価フィルタ１４８Ｒを備える。
【００３１】
遅延フィルタ１４２Ｌ、１４２Ｒは、入力信号に対する遅延処理を行うフィルタである。図２に示すように、遅延フィルタ１４２Ｌは、右入力信号を遅延させる第一の遅延処理を行う。また、図２に示すように、遅延フィルタ１４２Ｒは、左入力信号を遅延させる第二の遅延処理を行う。
【００３２】
上記第一の遅延処理、及び第二の遅延処理は、左マイク１１０Ｌと右マイク１１０Ｒとの間の距離（マイク間距離）に基づいて行われる。各マイクに音が伝達されるタイミングはマイク間の距離に依存するため、係る構成によれば、例えば、後述する抑圧処理と組み合わせて、マイク間距離に基づいた指向性強調効果が得られる。
【００３３】
例えば、遅延フィルタ１４２Ｌ、１４２Ｒによる第一の遅延処理、及び第二の遅延処理はマイク間距離を音が伝わるのにかかる時間に相当するサンプル数だけ遅延させる処理であってもよい。マイク間距離をｄ［ｃｍ］、サンプリング周波数をｆ［Ｈｚ］、音速をｃ［ｍ／ｓ］とすると、遅延フィルタ１４２Ｌ、１４２Ｒが遅延させる遅延サンプル数Ｄは、例えば次式により算出される。
【００３４】
【数１】
2017056781.tif 000003
【００３５】
ここで、数式（１）により算出される遅延サンプル数Ｄは一般に整数とは限らない。遅延サンプル数Ｄが非整数の場合、遅延フィルタ１４２Ｌ、１４２Ｒは、非整数遅延フィルタとなる。非整数遅延フィルタを実現するためには、厳密には無限タップ長さのフィルタを要するが、実用的には有限タップ長さで打ち切ったフィルタか、線形補間等により近似したフィルタが遅延フィルタ１４２Ｌ、１４２Ｒとして用いられてもよい。以下、図３を参照して遅延フィルタ１４２（遅延フィルタ１４２Ｌ、１４２Ｒ）を線形補間等により近似したフィルタとして実現する場合の、遅延フィルタ１４２の構成例について説明する。
【００３６】
遅延サンプル数Ｄの整数部、及び小数部をそれぞれＭ、及びηとすると、遅延フィルタ１４２に入力される信号ｙ（ｎ）を遅延サンプル数Ｄだけ遅延させた信号の近似値は次式のように得られる。
【００３７】
【数２】
2017056781.tif 000004
【００３８】
上記の数式（２）をブロック図で表現すると図３のブロック図が得られる。図３は遅延フィルタ１４２の構成例を示すブロック図である。図３に示すように、遅延フィルタ１４２は、遅延フィルタ１４２１、遅延フィルタ１４２３、線形フィルタ１４２５、線形フィルタ１４２７、及び加算器１４２９を備える。
【００３９】
遅延フィルタ１４２１は、遅延サンプル数Ｍだけ遅延させる整数遅延フィルタである。また、遅延フィルタ１４２３は、遅延サンプル数１だけ遅延させる整数遅延フィルタである。また、線形フィルタ１４２５、及び線形フィルタ１４２７は、それぞれ、入力された信号に１−η、及びηを乗じて出力する。また、加算器１４２９は、入力された信号を加算して出力する。
【００４０】
上述した、遅延フィルタ１４２Ｌ、及び遅延フィルタ１４２Ｒによる第一の遅延処理、及び第二の遅延処理は、所定のフィルタ係数に基づいて行われる。当該フィルタ係数は上述のような遅延フィルタとなるように、マイク間距離に基づいて特定されてもよい。なお、本実施形態においては、左マイク１１０Ｌと右マイク１１０Ｒは録音再生装置１に固定的に備えられているため、例えば、上記フィルタ係数は上述した遅延フィルタ１４２の実現方法に基づいて予め決定されていてもよい。
【００４１】
図２に戻って、指向性補正部１４４Ｌ、及び指向性補正部１４４Ｒは、それぞれ、第一の遅延処理により得られた信号、及び第二の遅延処理により得られた信号に所定の値αを乗じて出力する線形フィルタである。αは、指向性の調整を行うためのパラメータであり、αが１に近い程、指向性が強まり、αが０に近い程、指向性が弱まる。指向性の調整により、定位感を調整することが可能であるため、係る構成により、マイクの物理的な角度調整機構を要することなく、パラメータαの変更により指向性、及び定位感の調整を行うことが可能である。
【００４２】
抑圧部１４６Ｌは、第一の遅延処理に基づく信号を左入力信号から減算することで第一の抑圧処理を行う。また、抑圧部１４６Ｒは、第二の遅延処理に基づく信号を右入力信号から減算することで第二の抑圧処理を行う。係る構成により、抑圧部１４６Ｌの出力信号は、右方向の信号が抑圧されて左方向への指向性を得ることが可能である。また、抑圧部１４６Ｒ出力信号は、左方向の信号が抑圧されて右方向への指向性を得ることが可能である。
【００４３】
例えば、図２に示すように、抑圧部１４６Ｌは、第一の遅延処理に基づく指向性補正部１４４Ｌの出力信号を左入力信号から減算することで第一の抑圧処理を行う。また、抑圧部１４６Ｒは、第二の遅延処理に基づく指向性補正部１４４Ｒの出力信号を右入力信号から減算することで第二の抑圧処理を行う。
【００４４】
等価フィルタ１４８Ｌは、抑圧部１４６Ｌによる第一の抑圧処理により得られた信号の周波数特性を補正するフィルタである。また、等価フィルタ１４８Ｒは、抑圧部１４６Ｒによる第二の抑圧処理により得られた信号の周波数特性を補正するフィルタである。等価フィルタ１４８Ｌ、及び等価フィルタ１４８Ｒは、上記抑圧処理により、指向性に関わらず抑圧されてしまう周波数帯域における抑圧を補償するような補正を行ってもよい。例えば、上記の抑圧処理により、波長が長い低域の信号は遅延させた信号と遅延させない信号とで位相差が小さいために抑圧されてしまうので、等価フィルタ１４８Ｌ、及び等価フィルタ１４８Ｒは低域の信号を強調するように周波数特性の補正を行ってもよい。係る構成によれば、抑圧処理による周波数特性の変化を減殺することが可能である。なお、上記のような補正を行うためのフィルタ係数は、マイク距離に基づいて特定されてもよい。
【００４５】
ここで、左入力信号をｘｌ（ｎ）、右入力信号をｘｒ（ｎ）とすると、第一の演算処理部１４０Ｌの出力信号ｙｌ（ｎ）、及び第二の演算処理部１４０Ｒの出力信号ｙｒ（ｎ）は、次式で表される。なお、以下では、指向性補正部１４４Ｌ、１４４Ｒに係るパラメータαは１であるものとする。
【００４６】
【数３】
2017056781.tif 000005
【００４７】
なお、数式（３）、（４）において、＊は畳み込み演算を表し、また、ｐ（ｎ）は遅延フィルタ１４２Ｌ，１４２Ｒを、ｑ（ｎ）は等価フィルタ１４８Ｌ，１４８Ｒを表している。
【００４８】
数式（３）、（４）の演算を固定小数点演算で実現する場合、例えば、｛｝内の演算結果を短い語長に丸めてしまうと、当該演算結果にかかる等価フィルタｑ（ｎ）の畳み込み演算により低域が増幅されるため、低域のＳ／Ｎ比（信号雑音比）が低下する恐れがある。
【００４９】
また、数式（３）、（４）において｛｝内の演算結果を長い語長のまま保存し、等価フィルタｑ（ｎ）の畳み込み演算を倍精度で行う方法も考えられるが、当該演算結果を保存するバッファ領域のメモリが大きくなり、倍精度演算を行う演算コストも大きい。
【００５０】
ここで、遅延フィルタｐ（ｎ）と等価フィルタｑ（ｎ）の合成フィルタｕ（ｎ）＝ｐ（ｎ）＊ｑ（ｎ）を用いると、第一の演算処理部１４０Ｌの出力信号ｙｌ（ｎ）、及び第二の演算処理部１４０Ｒの出力信号ｙｒ（ｎ）は、次式で表される。
【００５１】
【数４】
2017056781.tif 000006
【００５２】
上記の数式（５）、（６）を例えば固定小数点演算処理可能なＤＳＰで演算すると、積和演算の総数は数式（３）、（４）と比較して増加するものの、畳み込み演算の合成が不要となる。ＤＳＰのアキュムレータに長い語長で保存されている二つの畳み込み演算結果の減算により、数式（５）、（６）の演算結果が得られる。したがって、数式（５）、（６）を用いて演算することで、Ｓ／Ｎ比が低下せず、倍精度での演算結果の保存や、倍精度の畳み込み演算処理が不要となる。
【００５３】
なお、上記では指向性補正部１４４Ｌ、１４４Ｒに係るパラメータαが１として説明したが、パラメータαが１でない場合であっても、同様の演算処理を行うことが可能である。
【００５４】
上述したようにして得られる第一の演算処理部１４０Ｌの出力信号は、ステレオ音声信号のうち左チャネルの音声信号であり、第二の演算処理部１４０Ｒの出力信号は、当該ステレオ音声信号のうち右チャネルの音声信号である。すなわち、上記処理により、左方向へ指向性を有する左チャネルの音声信号と右方向へ指向性を有する右チャネルの音声信号が組み合わせられたステレオ音声信号が得られる。係る構成により、当該ステレオ音声信号は、例えば左入力信号と右入力信号の組み合わせによるステレオ音声信号と比べて、高い定位感を有する。
【００５５】
エンコード部１５０は、上記左チャネルの音声信号と右チャネルの音声信号を組み合わせて符号化（エンコード）を行う。エンコード部１５０が行う符号化の方式は限定されず、例えば、非圧縮方式でも、可逆圧縮方式でも、非可逆圧縮方式でもよい。
【００５６】
記憶部１６０は、エンコード部１５０の符号化により得られたデータを記憶する。記憶部１６０は、例えばフラッシュメモリ、磁気ディスク、光ディスク、光磁気ディスク等により実現されてもよい。
【００５７】
デコード部１７０は、記憶部１６０に記憶されたデータの復号化（デコード）を行う。デコード部１７０による復号化は、エンコード部１５０の符号化方式に応じて行われてもよい。
【００５８】
Ｄ／Ａ変換部１８０Ｌ，及びＤ／Ａ変換部１８０Ｒは、デコード部１７０から出力された左チャネルの音声信号、及び右チャネルの音声信号をそれぞれ、左チャネルのアナログ音声信号と、及び右チャネルのアナログ音声信号に変換する。
【００５９】
スピーカ１９０Ｌ、及びスピーカ１９０Ｒは、それぞれ、Ｄ／Ａ変換部１８０Ｌ，及びＤ／Ａ変換部１８０Ｒから出力される左チャネルのアナログ音声信号、及び右チャネルのアナログ音声信号の再生（音声出力）を行う。なお、Ｄ／Ａ変換部１８０Ｌ，及びＤ／Ａ変換部１８０Ｒから出力される左チャネルのアナログ音声信号、及び右チャネルのアナログ音声信号は、外部スピーカ、イヤホン、またはヘッドホン等に出力されてもよい。
【００６０】
＜１−３．第一の実施形態の動作＞
以上、本開示の第一の実施形態に係る録音再生装置１の構成例について説明した。続いて、図４を参照して、本実施形態に係る録音再生装置１の動作例について、特に第一の演算処理部１４０Ｌ、及び第二の演算処理部１４０Ｒの動作に着目して説明する。図４は、本実施形態に係る録音再生装置１による動作例を説明するためのフローチャート図である。
【００６１】
図４に示すように、まず、第一の演算処理部１４０Ｌ、及び第二の演算処理部１４０Ｒに入力される左入力信号と右入力信号を生成するための事前処理が行われる（Ｓ１０２）。当該事前処理には、例えばＡ／Ｄ変換部１２０Ｌ，及びＡ／Ｄ変換部１２０Ｒによるアナログ音声信号からデジタル音声信号への変換処理やゲイン補正部１３０Ｌ，及びゲイン補正部１３０Ｒによるゲイン補正処理が含まれる。
【００６２】
続いて、遅延フィルタ１４２Ｌにより右入力信号の遅延処理（第一の遅延処理）が行われ、遅延フィルタ１４２Ｒにより左入力信号の遅延処理（第二の遅延処理）が行われる（Ｓ１０４）。上記遅延処理により得られた信号は、指向性補正部１４４Ｌ、及び指向性補正部１４４Ｒにより、指向性を調整するために補正される（Ｓ１０６）。
【００６３】
続いて、抑圧部１４６Ｌにより左入力信号が抑圧され（第一の抑圧処理）、抑圧部１４６Ｒにより右入力信号が抑圧される（第二の抑圧処理）。抑圧されて得られた信号は、等価フィルタ１４８Ｌ、及び等価フィルタ１４８Ｒにより、周波数特性を補正される（Ｓ１１０）。
【００６４】
＜１−４．第一の実施形態の効果＞
以上、第一の実施形態について説明した。本実施形態によれば、左右の音声信号をそれぞれ他方の音声信号に基づいて抑圧することで、音声信号の指向性を強調し、入力信号が無指向性マイクにより得られた音声信号であっても、より高い定位感のある出力信号を得ることが可能である。また、本実施形態によれば、マイクの物理的な角度調整機構を要することなく、指向性調整用パラメータαの変更を行うことで、定位感の調整を行うことが可能である。
【００６５】
＜＜２．第二の実施形態＞＞
＜２−１．第二の実施形態の概要＞
上述した第一の実施形態では、録音と再生を同一の装置で行う例を説明した。しかし、録音を行う装置と再生を行う装置は同一であるとは限られない。録音を行う録音装置と、再生を行う再生装置は、例えばそれぞれＩＣレコーダであってもよい。
【００６６】
例えば、あるＩＣレコーダ（録音装置）で録音されたコンテンツが、ネットワークを経由して他のＩＣレコーダ（再生装置）で再生される場合や、当該コンテンツのファイルが他のＩＣレコーダ（再生装置）にコピーされて再生される場合がある。
【００６７】
係る場合、例えば、録音装置のマイク間距離に基づいて、再生装置が抑圧処理を行うことで、音声信号の指向性を強調し、より高い定位感のある出力信号を得ることが可能である。そこで以下では、第二の実施形態として、録音を行う録音装置と、再生を行う再生装置が異なる場合の例について説明する。
【００６８】
＜２−２．第二の実施形態の構成＞
本開示の第二の実施形態に係る録音再生システムについて、図５を参照して説明する。図５は、本開示の第二の実施形態に係る録音再生システムの構成例を示す説明図である。図５に示すように、本実施形態に係る録音再生システム２は、録音装置２２、及び再生装置２４を有する。本実施形態に係る録音装置２２、及び再生装置２４は、図２を参照して説明した録音再生装置１と一部において同様の構成を有するため、適宜省略しながら説明を行う。
【００６９】
（録音装置）
録音装置２２は、少なくとも録音機能を有する。図５に示すように、録音装置２２は、左マイク２２１Ｌ，右マイク２２１Ｒ、Ａ／Ｄ変換部２２３Ｌ，２２３Ｒ、ゲイン補正部２２５Ｌ，２２５Ｒ、エンコード部２２７、メタデータ記憶部２２９、マルチプレクサ２３１、及び記憶部２３３を備える。左マイク２２１Ｌ，右マイク２２１Ｒ、Ａ／Ｄ変換部２２３Ｌ，２２３Ｒ、ゲイン補正部２２５Ｌ，２２５Ｒ、エンコード部２２７、及び記憶部２３３の構成は、それぞれ図２を参照して説明した左マイク１１０Ｌ，右マイク１１０Ｒ、Ａ／Ｄ変換部１２０Ｌ，１２０Ｒ、ゲイン補正部１３０Ｌ，１３０Ｒ、エンコード部１５０、及び記憶部１６０と同様であるため、説明を省略する。
【００７０】
なお、本実施形態に係る録音装置２２は、指向性強調に係る処理として、図４を参照して説明したステップＳ１０２に相当する処理を行う
【００７１】
メタデータ記憶部２２９は、後述する再生装置２４が抑圧処理（指向性強調処理）を行う際に用いられる、メタデータを記憶する。メタデータ記憶部２２９が記憶するメタデータは、例えば左マイク２２１Ｌと右マイク２２１Ｒのマイク間距離に係る距離情報を含んでもよいし、当該マイク間距離に基づいて算出されたフィルタ係数の情報を含んでもよい。また、メタデータ記憶部２２９が記憶するメタデータは、録音装置２２の機種を識別するための機種コード等を含んでもよい。さらに、メタデータ記憶部２２９が記憶するメタデータは、左マイク２２１Ｌと右マイク２２１Ｒのゲイン差の情報を含んでもよい。
【００７２】
なお、メタデータ記憶部２２９に記憶されるメタデータのフォーマットは、Ｗａｖｅｆｏｒｍ  Ａｕｄｉｏ  Ｆｏｒｍａｔ等で用いられているチャンク形式であってもよいし、ＸＭＬ（eXtensible Markup Language）等の構造が用いられた形式であってもよい。
【００７３】
以下では、メタデータ記憶部２２９が記憶するメタデータは、少なくとも抑圧処理を行う際に用いられるフィルタ係数の情報を含んでいる例について説明し、他の例については補足として後述する。
【００７４】
マルチプレクサ２３１は、複数の入力信号を一つの出力信号として出力する。本実施形態に係るマルチプレクサ２３１は、エンコード部２２７により符号化された音声信号と、メタデータ記憶部２２９が記憶するメタデータとを一つの出力信号として出力する。
【００７５】
マルチプレクサ２３１から出力された出力信号は、音声データとメタデータを含むデータファイルとして記憶部２３３に記憶される。図６は記憶部２３３に記憶されるデータファイルのファイルフォーマットの例を示す説明図である。図６に示すように、記憶部２３３に記憶されるデータファイルは、ファイルの種類等の情報を含むヘッダ部Ｆ１２と、録音された音声データを含む録音コンテンツ部Ｆ１４と、メタデータを含むメタデータ部Ｆ１６と、から構成される。
【００７６】
（再生装置）
図５に示すように、再生装置２４は、デマルチプレクサ２４１、デコード部２４３、ＵＩ部２４５、スイッチ部２４７Ａ〜Ｄ、第一の演算処理部２４９Ｌ、第二の演算処理部２４９Ｒ、Ｄ／Ａ変換部２５１Ｌ，２５１Ｒ、及びスピーカ２５３Ｌ，２５３Ｒを備える信号処理装置である。デコード部２４３、Ｄ／Ａ変換部２５１Ｌ，２５１Ｒ、及びスピーカ２５３Ｌ，２５３Ｒの構成は、それぞれ図２を参照して説明したデコード部１７０、Ｄ／Ａ変換部１８０Ｌ，１８０Ｒ、及びスピーカ１９０Ｌ，１９０Ｒと同様であるため、説明を省略する。
【００７７】
なお、本実施形態に係る再生装置２４は、指向性強調に係る処理として、図４を参照して説明したステップＳ１０４〜Ｓ１１０に相当する処理を行う
【００７８】
デマルチプレクサ２４１は、録音装置２２の記憶部２３３に記憶された音声信号とメタデータとを一つにまとめた信号を録音装置２２から受け取り、音声信号とメタデータとに分配して出力する。デマルチプレクサ２４１は、音声信号をデコード部２４３に、メタデータを第一の演算処理部２４９Ｌ、及び第二の演算処理部２４９Ｒに提供する。上述したように、図５に示す例において、メタデータは少なくとも抑圧処理を行う際に用いられるフィルタ係数の情報を含んでおり、デマルチプレクサ２４１は、フィルタ係数の情報を取得するフィルタ係数取得部として機能する。
【００７９】
なお、図５に示す例では、録音装置２２と再生装置２４が直接接続され、録音装置２２の記憶部２３３から再生装置２４のデマルチプレクサ２４１に信号が提供されている例を示したが、本実施形態は係る例に限定されない。例えば、再生装置２４が記憶部を有し、当該記憶部に一旦データがコピーされてから、デマルチプレクサ２４１が当該記憶部から信号を受け取ってもよい。また、録音装置２２、及び再生装置２４以外の記憶装置やネットワークを介して、録音装置２２の記憶部２３３に記憶された情報が再生装置２４に提供されてもよい。
【００８０】
ＵＩ部２４５は、第一の演算処理部２４９Ｌ、及び第二の演算処理部２４９Ｒによる指向性の強調処理を行うか否かを選択するためのユーザによる入力を受け付ける。指向性強調処理により、出力される音声には、音の空間的な分離が生じて音を聞きやすくなる効果があるが、ユーザによっては録音されたそのままのコンテンツの方が好ましいと考える場合があるため、再生装置２４はＵＩ部２４５を備えてもよい。
【００８１】
ＵＩ部２４５は様々な入力手段により実現されてよい。図７は、ＵＩ部２４５の実現例を示す説明図である。図７左に示すように、再生装置２４Ａは、物理的なスイッチであるＵＩ部２４５Ａを備えてもよい。係る例において、ＵＩ部２４５Ａは、再生装置２４Ａがフィルタ係数等の指向性強調処理を行うために必要なメタデータを取得したことを検知すると、点灯してユーザによる選択入力を促してもよい。
【００８２】
また、図７右に示すように、再生装置２４Ｂは、タッチパネル等の表示と入力が可能なＵＩ部２４５Ｂを備えてもよい。係る例において、ＵＩ部２４５Ｂは、再生装置２４Ｂがフィルタ係数等の指向性強調処理を行うために必要なメタデータを取得したことを検知すると図７に示すように、ユーザに指向性強調処理が可能であること通知し、選択入力を促す表示を行ってもよい。
【００８３】
なお、上記のような自動的にユーザによる選択入力を促す明示的な通知なしに、ユーザが物理的なスイッチやタッチパネルを操作して選択入力を行ってもよいことは言うまでもない。
【００８４】
図５に戻って、スイッチ部２４７Ａ〜Ｄは、ＵＩ部２４５へのユーザの入力に従って第一の演算処理部２４９Ｌ、及び第二の演算処理部２４９Ｒによる指向性強調処理のオン／オフを切り替える。なお、図５に示す状態は、第一の演算処理部２４９Ｌ、及び第二の演算処理部２４９Ｒによる指向性強調処理がオンの状態である。
【００８５】
第一の演算処理部２４９Ｌは、図５に示すように、遅延フィルタ２４９１Ｌ、指向性補正部２４９３Ｌ、抑圧部２４９５Ｌ、及び等価フィルタ２４９７Ｌを備える。また、同様に、第二の演算処理部２４９Ｒは、図５に示すように、遅延フィルタ２４９１Ｒ、指向性補正部２４９３Ｒ、抑圧部２４９５Ｒ、及び等価フィルタ２４９７Ｒを備える。指向性補正部２４９３Ｌ、２４９３Ｒ、及び抑圧部２４９５Ｌ、２４９５Ｒの構成は、それぞれ図２を参照して説明した指向性補正部１４４Ｌ、１４４Ｒ、及び抑圧部１４６Ｌ、１４６Ｒと同様であるため、説明を省略する。
【００８６】
遅延フィルタ２４９１Ｌ、２４９１Ｒは、図２を参照して説明した遅延フィルタ１４２Ｌ、１４２Ｒと同様に、入力信号に対する遅延処理を行うフィルタである。本実施形態においては、録音を行う装置と再生を行う装置が同一でないため、再生装置２４で再生されるデータの録音時のマイク間距離が一定とは限らない。図２を参照して説明した遅延フィルタ１４２Ｌ、１４２Ｒと同様、遅延フィルタ２４９１Ｌ、２４９１Ｒの適切なフィルタ係数（または遅延サンプル数）は、マイク間距離によって異なる。そこで、本実施形態に係る遅延フィルタ２４９１Ｌ、２４９１Ｒは、録音装置２２に対応したフィルタ係数をデマルチプレクサ２４１から受け取り、当該フィルタ係数に基づいた遅延処理を行う。
【００８７】
等価フィルタ２４９７Ｌ、２４９７Ｒは、図２を参照して説明した等価フィルタ１４８Ｌ、１４２Ｒと同様に、抑圧処理により得られた信号の周波数特性を補正するフィルタである。図２を参照して説明した等価フィルタ１４８Ｌ、１４２Ｒと同様、等価フィルタ２４９７Ｌ、２４９７Ｒの適切なフィルタ係数は、マイク間距離によって異なる。そこで、本実施形態に係る等価フィルタ２４９７Ｌ、２４９７Ｒは、録音装置２２に対応したフィルタ係数をデマルチプレクサ２４１から受け取り、当該フィルタ係数に基づいた補正処理を行う。
【００８８】
＜２−３．第二の実施形態の効果＞
以上、第二の実施形態について説明した。本実施形態によれば、録音時のマイク間距離に基づくメタデータが再生を行う装置に提供されることで、録音を行う装置と再生を行う装置が異なる装置である場合にも、より高い定位感のある出力信号を得ることが可能である。
【００８９】
＜２−４．第二の実施形態の補足＞
上記では、録音装置２２のメタデータ記憶部２２９に記憶されるメタデータが少なくとも抑圧処理を行う際に用いられるフィルタ係数の情報を含んでいる例について説明したが、本実施形態は係る例に限定されない。
【００９０】
例えば、メタデータは、録音装置２２の機種を識別するための機種コードであってもよい。係る場合、例えば、再生装置２４は、当該機種コードを用いて録音装置２２と再生装置２４が同一の機種であるか否かを判定し、同一の機種であった場合のみ、指向性強調処理を行ってもよい。
【００９１】
また、メタデータはマイク間距離に係る距離情報であってもよい。係る場合、再生装置２４のデマルチプレクサ２４１は、距離情報を取得する距離情報取得部として機能する。
係る場合、例えば再生装置２４は、複数のフィルタ係数を記憶する記憶部と、デマルチプレクサ２４１が取得した距離情報に応じたフィルタ係数を当該記憶部に記憶された複数のフィルタ係数の中から選択するフィルタ係数選択部と、をさらに備えてもよい。また、係る場合、再生装置２４は、デマルチプレクサ２４１が取得した距離情報に基づいてフィルタ係数を特定するフィルタ係数特定部と、をさらに備え、再生時に動的にフィルタを生成してもよい。
【００９２】
また、メタデータは、左マイク２２１Ｌと右マイク２２１Ｒのゲイン差の情報を含んでもよい。係る場合、例えば、録音装置２２がゲイン補正部２２５Ｌ、２２５Ｒを備える代わりに、再生装置２４がゲイン補正部を備え、再生装置２４の当該ゲイン補正部が上記ゲイン差の情報に基づいてゲイン補正を行ってもよい。
【００９３】
＜＜３．第三の実施形態＞＞
上述した第一の実施形態、及び第二の実施形態では、マイクにより取得された音声が、記憶部に記憶された後に、再生される例を説明した。これに対し、以下では、第三の実施形態として、マイクにより取得された音声が、リアルタイムに再生される例を説明する。
【００９４】
＜３−１．第三の実施形態の概要＞
本開示の第三の実施形態の概要について、図８を参照して説明を行う。図８は、本開示の第三の実施形態に係る放送システムの概要を示す説明図である。図８に示すように、本実施形態に係る放送システム３は、送信システム３２（放送局）、対応受信装置３４Ａ，３４Ｂ、及び非対応受信装置３６Ａ，３６Ｂ、を有する。
【００９５】
送信システム３２は、文字多重放送のような、音声と他のデータを同時に送信するシステムである。例えば、送信システム３２は、ステレオマイクにより第一の音声信号、第二の音声信号を取得し、第一の音声信号、第二の音声信号、及びメタデータを含む情報を対応受信装置３４Ａ，３４Ｂ、及び非対応受信装置３６Ａ，３６Ｂに送信する（放送する）。本実施形態に係るメタデータは、第二の実施形態でいくつかの例を挙げて説明したメタデータと同様の情報を含んでもよいし、更に放送に関するメタデータ（文字情報等）を含んでもよい。
【００９６】
対応受信装置３４Ａ，３４Ｂは、メタデータを用いた抑圧処理（指向性強調処理）に対応した信号処理装置であり、指向性強調処理用のメタデータを受信した場合に、抑圧処理を行うことが可能である。また、非対応受信装置３６Ａ，３６Ｂは、メタデータを用いた抑圧処理に対応していない装置であり、指向性強調処理用のメタデータを無視して、音声信号のみを処理する。
【００９７】
係る構成により、マイクにより取得された音声が、リアルタイムに再生される場合であっても、指向性強調処理に対応した装置であれば、より高い定位感のある出力信号を得ることが可能である。
【００９８】
＜３−２．第三の実施形態の構成＞
以上、本実施形態に係る放送システム３の概要を説明した。続いて、本実施形態に係る放送システム３が有する送信システム３２、対応受信装置３４、及び非対応受信装置３６の構成例について、図９〜１２を参照して、順次詳細に説明する。
【００９９】
（送信システム）
図９は、本実施形態に係る送信システム３２の構成例を示す説明図である。図９に示すように送信システム３２は、左マイク３２１Ｌ，右マイク３２１Ｒ、Ａ／Ｄ変換部３２３Ｌ，３２３Ｒ、ゲイン補正部３２５Ｌ，３２５Ｒ、エンコード部３２７、取得部３２９、及び送信部３３１を備える。左マイク３２１Ｌ，右マイク３２１Ｒ、Ａ／Ｄ変換部３２３Ｌ，３２３Ｒ、ゲイン補正部３２５Ｌ，３２５Ｒ、及びエンコード部３２７の構成は、それぞれ図２を参照して説明した左マイク１１０Ｌ，右マイク１１０Ｒ、Ａ／Ｄ変換部１２０Ｌ，１２０Ｒ、ゲイン補正部１３０Ｌ，１３０Ｒ、及びエンコード部１５０と同様であるため、説明を省略する。
【０１００】
なお、本実施形態に係る送信システム３２は、指向性強調に係る処理として、図４を参照して説明したステップＳ１０２に相当する処理を行う
【０１０１】
取得部３２９は、左マイク３２１Ｌと右マイク３２１Ｒの間のマイク間距離、または当該マイク間距離に基づくフィルタ係数等のメタデータを取得する。取得部３２９は、様々な方法でメタデータを取得することが可能である。
【０１０２】
図１０は、取得部３２９の構成例を示す説明図である。図１０に示すように、取得部３２９は、左マイク３２１Ｌと右マイク３２１Ｒを接続し、マイク間距離を固定する治具である。また、図１０に示すように、取得部３２９は、当該マイク間距離を特定し、メタデータとして当該マイク間距離を出力してもよい。なお、図１０に示す取得部３２９は、マイク間距離を一定に保ち、取得部３２９内に記憶された一定のマイク間距離を出力してもよいし、伸縮可能（マイク間距離を変更可能）な機構を有し、現在のマイク間距離を出力してもよい。
【０１０３】
また、取得部３２９は、左マイク３２１Ｌ、及び右マイク３２１Ｒに取り付けられて、マイク間距離を測定し、出力するセンサであってもよい。
【０１０４】
例えば、テレビの生放送等の音声収録では、各カメラにステレオマイクがセットされていたとして、マイク間距離はカメラサイズ等の影響で統一されておらず、カメラの切り替えが行われる度にマイク間距離が変更される恐れがある。また、同一のマイクであっても、マイク間距離をリアルタイムに変更したい場合も考えられる。上述した取得部３２９の構成により、例えば、マイク間距離の異なるステレオマイクへの切り替えが行われたり、リアルタイムにマイク間距離が変更されたりした場合であっても、リアルタイムに取得されるマイク間距離等のメタデータを送信することが可能となる。
【０１０５】
なお、上記の取得部３２９の処理は、図４を参照して説明したステップＳ１０２の処理に含まれてもよい。また、もちろん、録音を行うユーザが、マイク間距離が変更される都度マイク間の距離を確認し、手動でマイク間距離の情報を入力設定することで、マイク間距離が特定されてもよい。
【０１０６】
図９に示す送信部３３１は、エンコード部３２７から提供される音声信号と、取得部３２９から提供されるメタデータをまとめて（例えば多重化して）送信する。
【０１０７】
（対応受信装置）
図１１は対応受信装置３４の構成例を示す説明図である。図１１に示すように、対応受信装置３４は、受信部３４１、デコード部３４３、メタデータパーサ３４５、スイッチ部３４７Ａ〜Ｄ、第一の演算処理部３４９Ｌ、第二の演算処理部３４９Ｒ、Ｄ／Ａ変換部３５１Ｌ，３５１Ｒを備える信号処理装置である。Ｄ／Ａ変換部３５１Ｌ，３５１Ｒの構成は、図２を参照して説明したＤ／Ａ変換部１８０Ｌ，１８０Ｒと同様であるため、説明を省略する。また、スイッチ部３４７Ａ〜Ｄの構成は、図５を参照して説明したスイッチ部２４７Ａ〜Ｄと同様であるため、説明を省略する。
【０１０８】
なお、本実施形態に係る対応受信装置３４は、指向性強調に係る処理として、図４を参照して説明したステップＳ１０４〜Ｓ１１０に相当する処理を行う
【０１０９】
受信部３４１は、送信システム３２の左マイク３２１Ｌに基づく第一の音声信号と、送信システム３２の右マイク３２１Ｒに基づく第二の音声信号と、メタデータと、含む情報を送信システム３２から受信する。
【０１１０】
デコード部３４３は、受信部３４１が受信した情報から、第一の音声信号と第二の音声信号を復号化する。また、デコード部３４３は、受信部３４１が受信した情報から、メタデータを取出し、メタデータパーサ３４５に提供する。
【０１１１】
メタデータパーサ３４５は、デコード部３４３から受け取ったメタデータを解析し、当該メタデータに応じてスイッチ部３４７Ａ〜Ｄの切り替えを行う。例えば、メタデータパーサ３４５は、メタデータにマイク間距離に係る距離情報、またはフィルタ係数の情報が含まれていた場合には、第一の抑圧処理、及び第二の抑圧処理を含む指向性強調処理が行われるようにスイッチ部３４７Ａ〜Ｄを切り替えてもよい。
【０１１２】
係る構成によれば、指向性強調処理が可能な場合には自動的に指向性強調処理が行われ、より高い定位感を得ることが可能となる。
【０１１３】
また、メタデータパーサ３４５は、メタデータにマイク間距離に係る距離情報、またはフィルタ係数の情報が含まれていた場合には、当該情報を第一の演算処理部３４９Ｌ、及び第二の演算処理部３４９Ｒに提供する。
【０１１４】
第一の演算処理部３４９Ｌは、図１１に示すように、遅延フィルタ３４９１Ｌ、指向性補正部３４９３Ｌ、抑圧部３４９５Ｌ、及び等価フィルタ３４９７Ｌを備える。また、同様に、第二の演算処理部３４９Ｒは、図１１に示すように、遅延フィルタ３４９１Ｒ、指向性補正部３４９３Ｒ、抑圧部３４９５Ｒ、及び等価フィルタ３４９７Ｒを備える。上記第一の演算処理部３４９Ｌ、及び第二の演算処理部３４９Ｒの各構成は、図５を参照して説明した第一の演算処理部２４９Ｌ、及び第二の演算処理部２４９Ｒと同様であるため、説明を省略する。
【０１１５】
Ｄ／Ａ変換部３５１Ｌ，３５１Ｒから出力されたステレオ音声信号（左出力、及び右出力）は、外部スピーカやヘッドホン等により再生されてもよい。
【０１１６】
（非対応受信装置）
図１２は非対応受信装置３６の構成例を示す説明図である。図１２に示すように、非対応受信装置３６は、受信部３６１、デコード部３６３、Ｄ／Ａ変換部３６５Ｌ，３６５Ｒを備える信号処理装置である。受信部３６１、及びＤ／Ａ変換部３６５Ｌ，３６５Ｒの構成は、図１１を参照して説明した受信部３４１、及びＤ／Ａ変換部３５１Ｌ，３５１Ｒと同様であるため、説明を省略する。
【０１１７】
デコード部３６３は、受信部３６１が受信した情報から、第一の音声信号と第二の音声信号を復号化する。なお、デコード部３４３は、受信部３４１が受信した情報にメタデータが含まれていた場合に、メタデータを破棄してもよい。
【０１１８】
係る構成によれば、指向性強調処理に非対応の受信装置では、指向性強調処理は行われないが、通常のステレオ再生を行うことが可能であるため、ユーザにとって違和感は発生しない。
【０１１９】
＜３−３．第三の実施形態の効果＞
以上、第三の実施形態について説明した。第三の実施形態によれば、マイクにより取得された音声が、リアルタイムに再生される場合であっても、指向性強調処理に対応した装置であれば、より高い定位感のある出力信号を得ることが可能である。
【０１２０】
＜＜４．第四の実施形態＞＞
上記第一の実施形態、第二の実施形態、及び第三の実施形態では、マイクと信号処理装置が一体化、または完全に分離された（マイクが信号処理装置以外の装置に含まれる）例を説明した。これに対し、以下では、第四の実施形態として、マイクと信号処理装置が接続、及び分離可能で、マイク部分が信号処理装置のアクセサリとして交換可能な例を説明する。
【０１２１】
＜４−１．第四の実施形態の概要＞
図１３は本開示の第四の実施形態の概要を説明するための説明図である。図１３に示すように、本実施形態に係る信号処理システム４は、ステレオマイクロフォン装置４２Ａ〜Ｃ、スマートフォン４４、サーバ８、通信網９を備える。
【０１２２】
ステレオマイクロフォン装置４２Ａ〜Ｃは、それぞれ異なるマイク間距離ｄ１、ｄ２、及びｄ３を有し、ユーザはステレオマイクロフォン装置４２Ａ〜Ｃのいずれかをスマートフォン４４のコネクタ部４４１に接続することが可能である。
【０１２３】
上記の接続により、スマートフォン４４は、ステレオマイクロフォン装置４２Ａ〜Ｃからステレオ音声信号とメタデータを受け取ることが可能となる。なお、本実施形態に係るメタデータは、第二の実施形態でいくつかの例を挙げて説明したメタデータと同様の情報を含んでもよい。
【０１２４】
係る構成により、マイク部分がスマートフォン４４のアクセサリとして交換可能な場合であっても、指向性の強調処理が可能となる。なお、スマートフォン４４は、ステレオマイクロフォン装置４２Ａ〜Ｃのメタデータや、他のコンテンツ（ステレオ音声信号）、及びそれに対応したメタデータを外部のサーバ８から通信網９を介して取得してもよい。
【０１２５】
＜４−２．第四の実施形態の構成＞
以上、本実施形態の概要を説明した。続いて、本実施形態に係るステレオマイクロフォン装置４２Ａ〜Ｃ、及びスマートフォン４４の構成について図１３、及び図１４を参照して説明を行う。
【０１２６】
（ステレオマイクロフォン装置）
以下、ステレオマイクロフォン装置４２Ａ〜Ｃの構成の説明を行うが、ステレオマイクロフォン装置４２Ａ〜Ｃはマイク間距離が異なる以外、構成に差はないため、ステレオマイクロフォン装置４２Ａを例に説明を行い、ステレオマイクロフォン装置４２Ｂ，Ｃについての説明を省略する。
【０１２７】
図１３に示すように、ステレオマイクロフォン装置４２Ａは、左マイク４２１ＡＬ，右マイク４２１ＡＲ、Ａ／Ｄ変換部４２３ＡＬ，４２３ＡＲ、メタデータ記憶部４２５Ａ、コネクタ部４２７Ａを備える。
【０１２８】
左マイク４２１ＡＬ，右マイク４２１ＡＲ、及びＡ／Ｄ変換部４２３ＡＬ，４２３ＡＲの構成は、それぞれ図２を参照して説明した左マイク１１０Ｌ，右マイク１１０Ｒ、及びＡ／Ｄ変換部１２０Ｌ，１２０Ｒと同様であるため、説明を省略する。また、メタデータ記憶部４２５Ａの構成は、図５を参照して説明したメタデータ記憶部２２９と同様のため、説明を省略する。
【０１２９】
なお、本実施形態に係るステレオマイクロフォン装置４２Ａ〜Ｃは、指向性強調に係る処理として、図４を参照して説明したステップＳ１０２に相当する処理を行う
【０１３０】
コネクタ部４２７Ａは、スマートフォン４４のコネクタ部４４１と接続し、Ａ／Ｄ変換部４２３ＡＬ，４２３ＡＲから受け取ったステレオ音声信号と、メタデータ記憶部４２５Ａから受け取ったメタデータをスマートフォン４４に提供する通信インタフェースである。コネクタ部４２７Ａは、例えばステレオ音声信号とメタデータを多重化して送信可能な３．５ｍｍフォーンプラグであってもよく、係る場合、スマートフォン４４のコネクタ部４４１は当該プラグに対応した３．５ｍｍフォーンジャックであってもよい。なお、ステレオマイクロフォン装置４２Ａとスマートフォン４４の通信接続は他の接続方式であってもよく、例えば、ＵＳＢのような物理的に接続する方式であってもよいし、ＮＦＣやＢｌｕｅｔｏｏｔｈ（登録商標）のような非接触で接続する方式であってもよい。
【０１３１】
（スマートフォン）
図１４は、本実施形態に係るスマートフォン４４の構成例を示す説明図である。図１４に示すように、スマートフォン４４は、コネクタ部４４１、データバッファ４４３、コンテンツパーサ４４５、メタデータパーサ４４７、通信部４４９、ＵＩ部４５１、スイッチ部４５３Ａ〜Ｄ、第一の演算処理部４５５Ｌ、第二の演算処理部４５５Ｒ、Ｄ／Ａ変換部４５７Ｌ，４５７Ｒを備える信号処理装置である。
【０１３２】
Ｄ／Ａ変換部４５７Ｌ，４５７Ｒの構成は、それぞれ図２を参照して説明したＤ／Ａ変換部１８０Ｌ，１８０Ｒと同様であるため説明を省略する。また、ＵＩ部４５１、スイッチ部４５３Ａ〜Ｄ、第一の演算処理部４５５Ｌ、及び第二の演算処理部４５５Ｒの構成は、それぞれ図５を参照して説明したＵＩ部２４５、スイッチ部２４７Ａ〜Ｄ、第一の演算処理部２４９Ｌ、及び第二の演算処理部２４９Ｒと同様であるため、説明を省略する。また、メタデータパーサ４４７の構成は、図１１を参照して説明したメタデータパーサ３４５と同様であるため、説明を省略する。
【０１３３】
なお、本実施形態に係るスマートフォン４４は、指向性強調に係る処理として、図４を参照して説明したステップＳ１０４〜Ｓ１１０に相当する処理を行う
【０１３４】
コネクタ部４４１は、ステレオマイクロフォン装置４２Ａ〜Ｃと接続され、マイク間距離に係る距離情報、またはフィルタ係数の情報等のメタデータをステレオマイクロフォン装置４２Ａ〜Ｃから取得する。
【０１３５】
係る構成により、スマートフォン４４は、ステレオマイクロフォン装置４２Ａ〜Ｃからステレオとメタデータを受け取ることが可能となり、マイク部分がスマートフォン４４のアクセサリとして交換可能な場合であっても、指向性の強調処理が可能となる。
【０１３６】
データバッファ４４３は、コネクタ部４４１から取得したデータを一時的に記憶し、コンテンツパーサ４４５、及びメタデータパーサ４４７に提供する。コンテンツパーサ４４５は、データバッファ４４３からステレオ音声信号を受け取り、左入力信号、及び右入力信号に分配する。
【０１３７】
なお、コンテンツパーサ４４５は、ステレオ音声信号を図１３に示すサーバ８から通信部４４９を介して取得してもよい。また、同様にメタデータパーサ４４７も、メタデータを図１３に示すサーバ８から通信部４４９を介して取得してもよい。メタデータパーサ４４７がサーバ８から取得するメタデータは、ステレオマイクロフォン装置４２Ａ〜Ｃに関するメタデータであってもよいし、コンテンツパーサ４４５がサーバ８から取得したステレオ音声信号に対応するメタデータであってもよい。通信部４４９は、通信網９を介してサーバ８に接続し、ステレオ音声信号やメタデータを受信する。
【０１３８】
＜４−３．第四の実施形態の効果＞
以上、第四の実施形態について説明した。本実施形態によれば、スマートフォン４４は、ステレオマイクロフォン装置４２Ａ〜Ｃから指向性強調処理に必要となるメタデータを受け取ることが可能である。係る構成により、マイクと信号処理装置が接続、及び分離可能で、マイク部分が信号処理装置のアクセサリとして交換可能な構成であっても、より高い定位感のある出力信号を得ることが可能である。
【０１３９】
＜＜５．変形例＞＞
以上、本開示の第一の実施形態、第二の実施形態、第三の実施形態、及び第四の実施形態について説明した。以下では、上記各実施形態の変形例を説明する。なお、以下に説明する変形例は、各実施形態で説明した構成に代えて適用されてもよいし、各実施形態で説明した構成に対して追加的に適用されてもよい。
【０１４０】
上記実施形態では、１の装置に２のマイクが備えられている例を説明したが、本開示は係る例に限定されない。例えば、本開示に係る装置は、３以上のマイクを備えてもよい。以下、図１５、及び図１６を参照して本開示に係る信号処理装置が３以上のマイクを備える例を説明する。図１５、及び図１６は本変形例を説明するための説明図である。
【０１４１】
図１５に示す信号処理装置６は、例えばスマートフォンやデジタルカメラのような信号処理装置であり、マイク６１Ａ〜Ｃとカメラ６２を有する。スマートフォンやデジタルカメラ等を利用する場合、ユーザは信号処理装置６を図１５に示すように縦向きで利用する場合もあるし、図１６のように横向きで利用する場合もある。
【０１４２】
係る場合、信号処理装置６は、向きに応じて有効な（水平に並んだ）二つのマイクを選択し、当該二つのマイクのマイク間距離を選択して記憶、または送信等の処理を行ってもよい。例えば、信号処理装置６は加速度センサやジャイロセンサ等の信号処理装置６の向きに関する情報をセンシング可能なセンサを備え、当該センサにより得られた情報により、向きを判定してもよい。
【０１４３】
例えば、図１５に示す縦向き利用の例では、有効なマイクはマイク６１Ａ、及びマイク６１Ｂとなり、記憶、送信等が行われるマイク間距離は図１５に示すようにｄ４となる。例えば、図１６に示す横向き利用の例では、有効なマイクはマイク６１Ｂ、及びマイク６１Ｃとなり、記憶、送信等が行われるマイク間距離は図１６に示すようにｄ５となる。
【０１４４】
係る構成によれば、ユーザが利用する向きに応じて、適切なマイクが選択されると共に、選択されたマイクに応じたマイク間距離が選択されて指向性強調処理に用いられる。
【０１４５】
なお、上記のようにして選択されたマイク間距離が、信号処理装置６から他の装置にメタデータとして送信される場合には、当該他の装置が指向性強調処理や、再生処理を行ってもよい。
【０１４６】
＜＜６．ハードウェア構成例＞＞
以上、本開示の各実施形態と変形例を説明した。上述した信号遅延処理、指向性補正処理、信号抑圧処理、周波数特性補正処理等の信号処理は、演算器の組み合わせ等によるハードウェアにより実現されてもよいし、ソフトウェアと以下に説明する信号処理装置のハードウェアとの協働により実現されてもよい。以下、図１７を参照して、本開示に係る信号処理装置のハードウェア構成について説明する。図１７は、本開示に係る信号処理装置のハードウェア構成の一例を示すブロック図である。なお、図１７に示す信号処理装置１０００は、例えば、図２、図５、図１１、図１４にそれぞれ示した録音再生装置１、録音装置２２、再生装置２４、対応受信装置３４、又はスマートフォン４４を実現する。本実施形態に係る録音再生装置１、録音装置２２、再生装置２４、対応受信装置３４、又はスマートフォン４４による信号処理は、ソフトウェアと、以下に説明するハードウェアとの協働により実現される。
【０１４７】
図１７は、本実施形態に係る信号処理装置１０００のハードウェア構成を示す説明図である。図１７に示したように、信号処理装置１０００は、ＣＰＵ（Ｃｅｎｔｒａｌ  Ｐｒｏｃｅｓｓｉｎｇ  Ｕｎｉｔ）１００１と、ＲＯＭ（Ｒｅａｄ  Ｏｎｌｙ  Ｍｅｍｏｒｙ）１００２と、ＲＡＭ（Ｒａｎｄｏｍ  Ａｃｃｅｓｓ  Ｍｅｍｏｒｙ）１００３と、入力装置１００４と、出力装置１００５と、ストレージ装置１００６と、通信装置１００７とを備える。
【０１４８】
ＣＰＵ１００１は、演算処理装置及び制御装置として機能し、各種プログラムに従って信号処理装置１０００内の動作全般を制御する。また、ＣＰＵ１００１は、マイクロプロセッサであってもよい。ＲＯＭ１００２は、ＣＰＵ１００１が使用するプログラムや演算パラメータなどを記憶する。ＲＡＭ１００３は、ＣＰＵ１００１の実行において使用するプログラムや、その実行において適宜変化するパラメータなどを一時記憶する。これらはＣＰＵバスなどから構成されるホストバスにより相互に接続されている。主に、ＣＰＵ１００１、ＲＯＭ１００２及びＲＡＭ１００３とソフトウェアとの協働により、第一の演算処理部１４０Ｌ、２４９Ｌ、３４９Ｌ、４５５Ｌ、及び第二の演算処理部１４０Ｒ、２４９Ｒ、３４９Ｒ、４５５Ｒの機能が実現される。
【０１４９】
入力装置１００４は、マウス、キーボード、タッチパネル、ボタン、マイク、スイッチ及びレバーなどユーザが情報を入力するための入力手段と、ユーザによる入力に基づいて入力信号を生成し、ＣＰＵ１００１に出力する入力制御回路などから構成されている。信号処理装置１０００のユーザは、該入力装置１００４を操作することにより、信号処理装置１０００に対して各種のデータを入力したり処理動作を指示したりすることができる。
【０１５０】
出力装置１００５は、例えば、液晶ディスプレイ（ＬＣＤ）装置、ＯＬＥＤ装置及びランプなどの表示装置を含む。さらに、出力装置１００５は、スピーカ及びヘッドホンなどの音声出力装置を含む。例えば、表示装置は、撮像された画像や生成された画像などを表示する。一方、音声出力装置は、音声データなどを音声に変換して出力する。出力装置１００５は、例えば図２を参照して説明したスピーカ１９０Ｌ，１９０Ｒに対応する。
【０１５１】
ストレージ装置１００６は、データ格納用の装置である。ストレージ装置１００６は、記憶媒体、記憶媒体にデータを記録する記録装置、記憶媒体からデータを読み出す読出し装置及び記憶媒体に記録されたデータを削除する削除装置などを含んでもよい。ストレージ装置１００６は、ＣＰＵ１００１が実行するプログラムや各種データを格納する。ストレージ装置１００６は、例えば図２を参照して説明した記憶部１６０、図５を参照して説明した記憶部２３３に対応する。
【０１５２】
通信装置１００７は、例えば、通信網９に接続するための通信デバイスなどで構成された通信インタフェースである。また、通信装置１００７は、無線ＬＡＮ（Ｌｏｃａｌ  Ａｒｅａ  Ｎｅｔｗｏｒｋ）対応通信装置、ＬＴＥ（Ｌｏｎｇ  Ｔｅｒｍ  Ｅｖｏｌｕｔｉｏｎ）対応通信装置、有線による通信を行うワイヤー通信装置、またはブルートゥース（登録商標）通信装置を含んでもよい。通信装置１００７は、例えば図１１を参照して説明した受信部３４１、図１４を参照して説明した通信部４４９に対応する。
【０１５３】
以上、本実施形態に係る信号処理装置１０００の機能を実現可能なハードウェア構成の一例を示した。上記の各構成要素は、汎用的な部材を用いて実現されていてもよいし、各構成要素の機能に特化したハードウェアにより実現されていてもよい。従って、本実施形態を実施する時々の技術レベルに応じて、適宜、利用するハードウェア構成を変更することが可能である。
【０１５４】
なお、上述のような本実施形態に係る信号処理装置１０００の各機能を実現するためのコンピュータプログラムを作製し、ＰＣ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリ等である。また、上記のコンピュータプログラムは、記録媒体を用いずに、例えばネットワークを介して配信されてもよい。
【０１５５】
＜＜７．むすび＞＞
以上、説明したように、本開示の実施形態によれば、入力信号が無指向性マイクに基づいて得られた音声信号であっても、指向性が強調され、より高い定位感のある出力信号を得ることが可能である。例えば、本開示の実施形態によれば、ＩＣレコーダ等の小型デバイスを用いて録音を行った場合であっても、バイノーラル録音を行ったかのような、音像定位が得られる。
【０１５６】
特に、会議を録音し、後で再生を行って議事録に起こすような場合、話者の特定は重要であるが、本開示によれば、話者の音像位置が知覚できるようになるため、所謂カクテルパーティー効果により、発言者の特定や発言内容の聞き取りが容易になる。
【０１５７】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１５８】
例えば、上記実施形態における各ステップは、必ずしもフローチャート図として記載された順序に沿って時系列に処理する必要はない。例えば、上記実施形態の処理における各ステップは、フローチャート図として記載した順序と異なる順序で処理されても、並列的に処理されてもよい。
【０１５９】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１６０】
なお、以下のような構成も本開示の技術的範囲に属する。
（１）
第一のマイクロフォンに基づく第一の音声信号を、第二のマイクロフォンに基づく第二の音声信号に基づいて抑圧する第一の抑圧処理を行う第一の演算処理部と、
前記第二の音声信号を前記第一の音声信号に基づいて抑圧する第二の抑圧処理を行う第二の演算処理部と、
を備える信号処理装置。
（２）
前記第一の演算処理部の出力信号は、ステレオ音声信号のうち一方のチャネルの音声信号であり、前記第二の演算処理部の出力信号は、前記ステレオ音声信号のうち他方のチャネルの音声信号である前記（１）に記載の信号処理装置。
（３）
前記第一の演算処理部は、前記第二の音声信号を遅延させる第一の遅延処理を行い、前記第一の遅延処理に基づく信号を前記第一の音声信号から減算することで前記第一の抑圧処理を行い、
前記第二の演算処理部は、前記第一の音声信号を遅延させる第二の遅延処理を行い、前記第二の遅延処理に基づく信号を前記第二の音声信号から減算することで前記第二の抑圧処理を行う、前記（１）または（２）に記載の信号処理装置。
（４）
前記第一の遅延処理、及び前記第二の遅延処理は、前記第一のマイクロフォンと前記第二のマイクロフォンとの間の距離に基づいて行われる、前記（３）に記載の信号処理装置。
（５）
前記第一の遅延処理、及び前記第二の遅延処理は、前記距離を音が伝わるのにかかる時間に相当するサンプル数だけ遅延させる処理である、前記（４）に記載の信号処理装置。
（６）
前記第一の遅延処理、及び前記第二の遅延処理は、前記距離に基づいて特定されるフィルタ係数に基づいて行われる、前記（４）または（５）に記載の信号処理装置。
（７）
前記フィルタ係数の情報を取得するフィルタ係数取得部をさらに備える、前記（６）に記載の信号処理装置。
（８）
前記距離に係る距離情報を取得する距離情報取得部と、
距離情報に応じた複数のフィルタ係数を記憶する記憶部と、
前記距離情報取得部が取得した前記距離情報に応じた前記フィルタ係数を前記記憶部に記憶された前記複数のフィルタ係数の中から選択するフィルタ係数選択部と、
をさらに備える前記（６）に記載の信号処理装置。
（９）
前記距離に係る距離情報を取得する距離情報取得部と、
前記距離情報に基づいて前記フィルタ係数を特定するフィルタ係数特定部と、
をさらに備える前記（６）に記載の信号処理装置。
（１０）
少なくとも前記第一の音声信号と前記第二の音声信号を含む情報を受信する受信部をさらに備え、
第一の抑圧処理、及び第二の抑圧処理は、前記受信部がさらに前記距離に係る距離情報を受信した場合に行われる、前記（４）〜（９）のいずれか一項に記載の信号処理装置。
（１１）
少なくとも前記第一の音声信号と前記第二の音声信号を受信する受信部をさらに備え、
第一の抑圧処理、及び第二の抑圧処理は、前記受信部が前記フィルタ係数の情報を受信した場合に行われる、前記（６）または（７）のいずれか一項に記載の信号処理装置。
（１２）
前記距離は、前記第一のマイクロフォンと前記第二のマイクロフォンを接続し、前記距離を固定する治具により特定される、前記（４）〜（１１）のいずれか一項に記載の信号処理装置。
（１３）
前記第一のマイクロフォン、及び前記第二のマイクロフォンを有するステレオマイクロフォン装置と接続されるコネクタ部をさらに備え、
前記コネクタ部は、前記距離に係る距離情報を前記ステレオマイクロフォン装置から取得する、前記（４）〜（１２）のいずれか一項に記載の信号処理装置。
（１４）
前記第一のマイクロフォン、及び前記第二のマイクロフォンを有するステレオマイクロフォン装置と接続されるコネクタ部をさらに備え、
前記コネクタ部は、前記フィルタ係数の情報を前記ステレオマイクロフォン装置から取得する、前記（６）または（７）に記載の信号処理装置。
（１５）
前記第一の演算処理部は、前記第一の遅延処理により得られた信号に所定の値を乗じて得られた信号を前記第一の音声信号から減算することで前記第一の抑圧処理を行い、
前記第二の演算処理部は、前記第二の遅延処理により得られた信号に所定の値を乗じて得られた信号を前記第二の音声信号から減算することで前記第二の抑圧処理を行う、前記（３）〜（１４）のいずれか一項に記載の信号処理装置。
（１６）
前記第一の演算処理部は、前記第一の抑圧処理により得られた信号の周波数特性を補正し、
前記第二の演算処理部は、前記第二の抑圧処理により得られた信号の周波数特性を補正する、前記（１）〜（１５）のいずれか一項に記載の信号処理装置。
（１７）
前記第一のマイクロフォンと前記第二のマイクロフォンのゲイン差を補正するためのゲイン補正部をさらに備える、前記（１）〜（１６）のいずれか一項に記載の信号処理装置。
（１８）
前記第一のマイクロフォン、及び前記第二のマイクロフォンは、無指向性のマイクロフォンである、前記（１）〜（１７）のいずれか一項に記載の信号処理装置。
（１９）
第一のマイクロフォンに基づく第一の音声信号を、第二のマイクロフォンに基づく第二の音声信号に基づいて抑圧する第一の抑圧処理を行うことと、
前記第二の音声信号を前記第一の音声信号に基づいて抑圧する第二の抑圧処理を行うことと、
を含み、信号処理装置により実行される信号処理方法。
（２０）
コンピュータに、
第一のマイクロフォンに基づく第一の音声信号を、第二のマイクロフォンに基づく第二の音声信号に基づいて抑圧する第一の抑圧処理を行う第一の演算処理機能と、
前記第二の音声信号を前記第一の音声信号に基づいて抑圧する第二の抑圧処理を行う第二の演算処理機能と、
を実現させるための、プログラム。
【符号の説明】
【０１６１】
１  録音再生装置
２  録音再生システム
３  放送システム
４  信号処理システム
２２  録音装置
２４  再生装置
３２  送信システム
３４  対応受信装置
３６  非対応受信装置
４２Ａ  ステレオマイクロフォン装置
４４  スマートフォン
１１０Ｌ  左マイク
１１０Ｒ  右マイク
１３０Ｌ  ゲイン補正部
１３０Ｒ  ゲイン補正部
１４０Ｌ  第一の演算処理部
１４０Ｒ  第二の演算処理部
１４２  遅延フィルタ
１４６Ｌ、１４６Ｒ  抑圧部
１４８Ｌ、１４８Ｒ  等価フィルタ
２２９  メタデータ記憶部
２４５  ＵＩ部
３２９  取得部
３３１  送信部
３４１  受信部
４２１ＡＬ  左マイク
４２１ＡＲ  右マイク
４４１  コネクタ部
１０００  信号処理装置
【図１】
2017056781.tif 000007
【図２】
2017056781.tif 000008
【図３】
2017056781.tif 000009
【図４】
2017056781.tif 000010
【図５】
2017056781.tif 000011
【図６】
2017056781.tif 000012
【図７】
2017056781.tif 000013
【図８】
2017056781.tif 000014
【図９】
2017056781.tif 000015
【図１０】
2017056781.tif 000016
【図１１】
2017056781.tif 000017
【図１２】
2017056781.tif 000018
【図１３】
2017056781.tif 000019
【図１４】
2017056781.tif 000020
【図１５】
2017056781.tif 000021
【図１６】
2017056781.tif 000022
【図１７】
2017056781.tif 000023
【国際調査報告】
2017056781.tif 000024
2017056781.tif 000025
2017056781.tif 000026
2017056781.tif 000027